(57)【特許請求の範囲】
【請求項１】
第１把持部と第１枢着部と第１組立部と拡張スケールとを包括し、前記第１枢着部の一端は前記第１把持部に連結され、前記第１組立部が前記第１枢着部の他端から第１把持部に略平行となる延伸方向に向けて延出し、前記拡張スケールが第１把持部から延出する第１ハンドル部と、
第２把持部と第２枢着部と第２組立部とを包括し、前記第２把持部はスロットを含み、前記スロットが前記拡張スケールに対応し、前記拡張スケールを前記スロットに貫設させ、前記第２枢着部と前記第１枢着部は対応して枢着し、前記第２組立部と前記第２把持部は第２枢着部から各々互いに平行にならない方向に延伸する第２ハンドル部、
前記第１組立部に組み立てられた第１拡開部材と、
前記第２組立部に組み立てられた第２拡開部材と、を含む拡張器において、
前記第２把持部が力を受けて前記拡張スケールに沿って前記第１把持部に向かって一方向に移動する時、前記第２拡開部材を第１拡開部材から一方向に離れさせることを特徴とする拡張器。
【請求項２】
角度固定具を更に含み、前記角度固定具は、当接部と圧合部とを含み、前記当接部が圧合部から延出して前記スロットの壁面上の２つの枢着ブロックに枢着し、前記圧合部を移動して前記当接部を前記拡張スケールに当接させた時、前記第１拡開部材と前記第２拡開部材の間の角度を固定させることができることを特徴とする請求項１に記載の拡張器。
【請求項３】
前記拡張スケールは、複数の第１凹凸の刻みを含み、前記当接部上にも複数の第２凹凸の刻みを含み、前記第２凹凸の刻みが前記第１凹凸の刻みに対応し、前記当接部が前記拡張スケールに当接した時、一部の前記第２凹凸の刻みにある凹部及び凸部は各々対応部分の前記第１凹凸の刻みにある凸部及び凹部と互いに係合することを特徴とする請求項２に記載の拡張器。
【請求項４】
発光モジュールを更に含み、前記発光モジュールは、ＬＥＤランプとボタンアセンブリとを含み、前記ＬＥＤランプが前記第１枢着部に取り付けられ、また前記第１枢着部の外表面から突出し、かつ前記第１組立部及び前記第２組立部の間に位置し、前記ボタンアセンブリは前記第１枢着部材の貫通孔に取り付けられ、前記ＬＥＤランプと電気的に接続することを特徴とする請求項１に記載の拡張器。
【請求項５】
前記第１枢着部は、スリーブで、前記第２枢着部が中空リングとし、前記第１枢着部と嵌着することを特徴とする請求項１に記載の拡張器。
【請求項６】
蓋を更に含み、前記蓋が前記第２枢着部に組み立てられたことで前記第２枢着部の前記第１枢着部から離れる一側を封止することを特徴とする請求項５に記載の拡張器。
【請求項７】
前記第１拡開部材と前記第２拡開部材の形状は、互いにミラーリングすることを特徴とする請求項１に記載の拡張器。
【請求項８】
前記第１組立部は、第１固定軸を含み、前記第２組立部が第２固定軸を含み、前記第１拡開部材が第１貫通孔を含み、前記第２拡開部材が第２貫通孔を含み、前記第１固定軸及び前記第２固定軸が各々前記第１貫通孔及び前記第２貫通孔を挿通した後、各々前記第１拡開部材及び前記第２拡開部材と係着することを特徴とする請求項１に記載の拡張器。
【請求項９】
前記第１固定軸の一端部は、第１係着段部を含み、前記第２固定軸の一端部が第２係着段部を含み、前記第１係着段部は前記第１固定軸より大きい他の部分の形状を有し、かつ前記第１係着段部の形状が前記第１貫通孔に対応し、前記第２係着段部が前記第２固定軸より大きい他の部分の形状を有し、かつ前記第２係着段部の形状が前記第２貫通孔に対応することを特徴とする請求項８に記載の拡張器。
【請求項１０】
前記第１係着段部は、前記第１貫通孔を挿通し、かつ前記第２係着段部が前記第２貫通孔を挿通した後、前記第１拡開部材及び前記第２拡開部材が各々前記第１固定軸及び前記第２固定軸に対して１つの角度を回転して固定することを特徴とする請求項９に記載の拡張器。
【発明の詳細な説明】
【技術分野】
【０００１】
本発明は、拡張器に関し、特に、医療診断及びリハビリ分野で使用される拡張器に関する。
【背景技術】
【０００２】
小児科、口腔外科、歯科、産婦人科、泌尿器科等において、検査や診断のため、よく舌圧子又は拡張器等の医療器具を用いて腔を拡張する必要がある。特に、口腔及び産婦人科の診療中において、拡張器が最もよく見られる医療診断ツールである。また、頭頸部腫瘍治療によりリハビリしなければならない患者又は寝たきり患者等にとっても拡張器はリハビリ或いは清潔補助ツールとしてよく利用されてきた。
【０００３】
市場においてよく見られる拡張器は、はさみ状構造で、弾性枢着部材で２つの拡開体を枢着し、指による押圧又は握る方法を通じて、拡開体を拡開して、腔を拡張させる。この種の方法は過度な力を必要とし、かつ拡張角度の維持が難しい。他の構造の改良は、拡張器の把持部を鋏又は鉗子のハンドル部として設計され、省力を少なくしているが、拡張器の作動方向と常用の鋏又は鉗子の操作が逆となるため、人間工学の設計に適していない。
【０００４】
これ以外に、リハビリしなければならない患者にとってリハビリ状態を長期記録して医療評価とする必要がある。現在市場上の拡張器は、拡張角度を測定できないため、データを記録して、長期的な追跡及び診療上の評価とすることができなかった。
また、口腔を例にすると、現在市場上の拡張器で拡張した時、同時に上顎及び下顎が拡張され、リハビリを必要とする患者に著しい不快感があり、その後のリハビリを継続する動機にも影響を及ぼしてしまう。
【発明の概要】
【発明が解決しようとする課題】
【０００５】
本発明は、操作上も比較的人間工学に適し、かつ拡張角度を測定でき、また不快感も減らすことができるため、口腔外科、歯科、産婦人科、泌尿器科等の腔を拡張しなければならない検査や診断の使用に適すことができ、寝たきり患者の口腔ケア、或いは開口リハビリにも適している拡張器を提供することである。
【課題を解決するための手段】
【０００６】
一実施例における拡張器は、第１ハンドル部と第２ハンドル部と第１拡開部材と第２拡開部材とを含む。第１ハンドル部は、固定部材で、第１把持部と第１枢着部と第１組立部と拡張スケールとを包括する。第１枢着部の一端は第１把持部に連結され、第１組立部が第１枢着部の他端から延出し、第１把持部と第１組立部がほぼ同一方向に延伸する。拡張スケールは、第１把持部から延出する。第２ハンドル部は、可動部材で、第２把持部と第２枢着部と第２組立部とを包括する。第２把持部は、スロットを含み、スロットが拡張スケールに対応し、拡張スケールをスロットに貫設させる。第２枢着部と第１枢着部は対応して枢着する。第２組立部と第２把持部は、第２枢着部から各々互いに平行にならない方向に延伸する。第１拡開部材は、第１組立部に組み立てられ、第２拡開部材が第２組立部に組み立てられる。第２把持部が拡張スケールに沿って第１把持部に向かって移動する時、第２拡開部材を第１拡開部材から離れさせる。
【０００７】
一実施例において、第１拡開部材と第２拡開部材の形状は互いにミラーリングする。
【０００８】
一実施例において、拡張器は、角度固定具を更に含む。角度固定具は、当接部と圧合部とを含み、当接部が圧合部から延出してスロットの壁面上の２つの枢着ブロックに枢着する。圧合部を移動して当接部を拡張スケールに当接させた時、第１拡開部材と第２拡開部材の間の角度を固定させることができる。更に拡張スケールは、複数の第１凹凸の刻みを含み、当接部上にも複数の第２凹凸の刻みを含み、第２凹凸の刻みが第１凹凸の刻みに対応する。当接部が拡張スケールに当接した時、一部の第２凹凸の刻みにある凹部及び凸部は各々対応部分の第１凹凸の刻みにある凸部及び凹部と互いに係合する。
【０００９】
一実施例において、拡張器は発光モジュールを更に含む。発光モジュールは、ＬＥＤランプとボタンアセンブリとを含み、ＬＥＤランプが第１枢着部に取り付けられ、また第１枢着部の外表面から突出し、かつ第１組立部及び第２組立部の間に位置する。ボタンアセンブリは第１枢着部材の貫通孔に取り付けられ、かつＬＥＤランプと電気的に接続する。一般的に言うと、ボタンアセンブリが押圧されていない時、第１枢着部材から凸出し、押圧され後で局部が陷没してＬＥＤランプをオンにして発光する。こうすると、直接検査を行う時、照明の機能を有する。
【００１０】
一実施例において、第１枢着部は、円形スリーブで、第２枢着部が中空リングとし第１枢着部と嵌着する。好ましくは、拡張器は蓋を更に含み、蓋が第２枢着部に組み立てられたことで第２枢着部の第１枢着部から離れる一側を封止する。
【００１１】
一実施例において、第１組立部は、第１固定軸を含み、第２組立部が第２固定軸を含み、第１拡開部材が第１貫通孔を含み、第２拡開部材が第２貫通孔を含む。第１固定軸及び第２固定軸が各々第１貫通孔及び第２貫通孔を挿通した後、各々第１拡開部材及び第２拡開部材と係着する。好ましくは、第１固定軸の一端部は、第１係着段部を含み、第２固定軸の一端部が第２係着段部を含む。第１係着段部は、第１固定軸より大きい他の部分の形状を有し、かつ第１係着段部の形状が第１貫通孔に対応し、第２係着段部が第２固定軸より大きい他の部分の形状を有し、かつ第２係着段部の形状が第２貫通孔に対応する。好ましくは、第１係着段部は第１貫通孔を挿通し、かつ第２係着段部が第２貫通孔を挿通した後、第１拡開部材及び第２拡開部材が各々第１固定軸及び第２固定軸に対して１つの角度を回転して固定する。
【発明の効果】
【００１２】
上記の実施例において、人間工学に更に適した拡張器を提供でき、第２ハンドル部を押すだけで、第２拡開部材を拡張させることができるため、指１本で操作でき、かつ一方向の拡張は被検者又はリハビリテーション患者の不快感を減らすことができる。これ以外に、拡張器は、拡張角度を測定でき、リハビリテーション患者にとっても、これをもってリハビリの状況を監視できる。
【図面の簡単な説明】
【００１３】
【図１】本発明の一実施例に係る拡張器の立体図である。
【図２】本発明の一実施例に係る拡張器の分解図である。
【図３】本発明の一実施例に係る拡張器の動く状態の立体図である。
【図４】本発明の一実施例に係る拡張器の固定状態の立体図である。
【図５】本発明の一実施例に係る拡張器の固定状態の局部拡大図である。
【図６Ａ】本発明の一実施例に係る拡張器の連続組立状態の立体図である。
【図６Ｂ】本発明の一実施例に係る拡張器の連続組立状態の立体図である。
【図６Ｃ】本発明の一実施例に係る拡張器の連続組立状態の立体図である。
【発明を実施するための形態】
【００１４】
図１及び図２は、各々本発明の一実施例に係る拡張器の立体図及び本発明の一実施例に係る拡張器の分解図である。
図１及び図２に示すように、本発明に係る拡張器１００は、第１ハンドル部１０と第２ハンドル部２０と第１拡開部材３１と第２拡開部材３３とを含む。ここで、第１ハンドル部１０は固定部材で、第２ハンドル部２０が可動部材とし、二者が互いに組み立てられる。第１拡開部材３１及び第２拡開部材３３は、各々第１ハンドル部１０及び第２ハンドル部２０に組み立てられる。
【００１５】
第１ハンドル部１０は、第１把持部１１と第１枢着部１３と第１組立部１５と拡張スケール１７とを包括する。第１枢着部１３が、略円形のスリーブで、一端が第１把持部１１に連結し、第１組立部１５が第１枢着部１３の他端から延出する。第１把持部１１と第１組立部１５の延伸方向が略平行となる。拡張スケール１７は、第１把持部１１から延出し、円弧状クランクとなることができるが、これは例示したものであって、これに限られるものではない。拡張スケール１７の一表面は、複数の第１凹凸の刻み１７１を含み、直接測定するため、拡張スケール１７において拡張に対応する目盛を表示することもできる。
【００１６】
第２ハンドル部２０は、第２把持部２１と第２枢着部２３と第２組立部２５とを包括する。第２把持部２１にスロット２１１を開設し、スロット２１１が拡張スケール１７に対応し、拡張スケール１７がスロット２１１に貫設される。第２枢着部２３は、中空リングとして第１枢着部１３と対応するよう枢着することができる。第２組立部２５と第２把持部２１は、第２枢着部２３から各々互いに平行にならない方向に延伸する。
図２に示すように、第２組立部２５と第２把持部２１の間に角度θで交わり、ここで角度θが約１３０°とするが、例示しただけであって、これに限られるものではない。角度θを０°＜θ＜１８０°とすることができ、好ましくは６０°≦θ≦１５０°とする。第１拡開部材３１は第１組立部１５に組み立てられ、第２拡開部材３３が第２組立部２５に組み立てられる。第１拡開部材３１と第２拡開部材３３の形状が互いにミラーリングし、例えば互いにミラーリングして、上下に反転したアヒル口状を呈する。
【００１７】
図１及び図３を参照する。図３は本発明の一実施例に係る拡張器が動く状態の立体図である。第２把持部２１が力を受けて拡張スケール１７に沿って第１把持部１１に向かい移動した時、第２拡開部材３３を第１拡開部材３１から離れさせることで、第１拡開部材３１と第２拡開部材３３間の角度を拡張し、更に腔を拡張させる。ここで、拡張器１００が作動した時第２ハンドル部２０が第２拡開部材３３を移動させ、腔を一方向に拡張させるだけである。
【００１８】
更に図２、３及び図４を参照する。図４は本発明の一実施例に係る拡張器が固定状態の立体図である。
図２乃至図４に示すように、拡張器１００は、角度固定具４０を更に含み、角度固定具４０が当接部４１と圧合部４３とを含み、当接部４１が圧合部４３から延出し、かつ圧合部４３が当接部４１と互いに平行にならない。当接部４１がスロット２１１の壁面上の２つの枢着ブロック２１３に枢着し、例えば、当接部４１上には、２つの枢着ブロック２１３上の枢着孔２１５を貫設する回転軸４１７を備えることで、当接部４１が枢着ブロック２１３に基づいて回転できる。圧合部４３が力を受けて当接部４１を駆動して拡張スケール１７に当接した時、第１把持部１１と第２把持部２１の間の角度を固定させることで、第１拡開部材３１と第２拡開部材３３の間の角度も固定させることができる。
【００１９】
次に図５は、本発明の一実施例に係る拡張器の固定状態の局部拡大図である。
図５は、図４の局部拡大図で、図４及び図５に示すように、当接部４１は複数の第２凹凸の刻み４１１を更に含む。当接部４１が拡張スケール１７に当接した時、一部の第２凹凸の刻み４１１にある凹部４１３及び凸部４１５は、各々対応部分の第１凹凸の刻み１７１にある凸部１７５及び凹部１７３と互いに係合することで、第１ハンドル部１０と第２ハンドル部２０とを互いに固定させることができる。拡張角度を調整しようとする時、圧合部４３で当接部４１を拡張スケール１７から離れさせて図３のような状態に戻すと再度第２ハンドル部２０を拡張スケール１７に沿って移動させることができる。
【００２０】
再度図１及び図２を参照する。拡張器１００は発光モジュール５０を更に含み、発光モジュール５０がＬＥＤランプ５１とボタンアセンブリ５３とを含む。ＬＥＤランプ５１は第１枢着部１３に取り付けられ、第１枢着部１３の外表面から突出し、かつ第１組立部１５及び第２組立部２５の間に位置する。
ボタンアセンブリ５３は、第１枢着部材１３の一側表面１３１の貫通孔１３３に取り付けられ、かつＬＥＤランプ５１と電気的に接続する。一般的に言うと、ボタンアセンブリ５３は押圧式スッチで、その中に電池（図示せず）を含む。押されなかった時、ボタンアセンブリ５３が第１枢着部材１３の側表面１３１から凸出し、ボタンアセンブリ５３が押された後、電力を導通させてＬＥＤランプ５１をオンにして発光する。こうすると、直接検査を行う時の照明機能を備える。更にレンズの反射を通じて腔内の状況も検査できる。
これ以外に、拡張器１００は、蓋２７を更に含み、蓋２７が第２枢着部２３に組み立てられることで第２枢着部２３の第１枢着部１３から離れた一側を封止する。こうすると、ボタンアセンブリ５３を遮蔽して、外力によるボタンアセンブリ５３の脱落或いは損傷を避けることができる。
【００２１】
再度図２及び図６Ａ乃至図６Ｃを参照する。図６Ａ乃至図６Ｃは本発明の一実施例に係る拡張器の連続組立状態の立体図である。
図２に示すように、第１組立部１５は、第１固定軸１５１を含み、第２組立部２５が第２固定軸２５１を含み、第１拡開部材３１が第１貫通孔３１１を含み、第２拡開部材３３が第２貫通孔３３１を含む。第１固定軸１５１は第１貫通孔３１１に対応し、かつ第１貫通孔３１１を挿通した後、第１拡開部材３１に係着する。第２固定軸２５１は、第２貫通孔３３１に対応し、かつ第２貫通孔３３１を挿通した後、第２拡開部材３３に係着する。
図５及び図６Ａ乃至図６Ｃに示すように、第１固定軸１５１の一端部は第１係着段部１５３を含み、第２固定軸２５１の一端部が第２係着段部２５３を含み、第１係着段部１５３が第１固定軸１５１より大きい他の部分の形状を有し、かつ第１係着段部１５３の形状が第１貫通孔３１１に対応する。第２係着段部２５３は、第２固定軸２５１より大きい他の部分の形状を有し、かつ第２係着段部２５３の形状が第２貫通孔３３１に対応する。
【００２２】
図６Ａに示されるように、第１係着段部１５３及び第２係着段部２５３は中央部が比較的細く、両端が比較的広いという構造を有する。第１貫通孔３１１及び第２貫通孔３３１が、第１係着段部１５３及び第２係着段部２５３を対応するように挿通させることができるため、第１係着段部１５３及び第２係着段部２５３の形状に対応する貫通孔である。
図６Ｂに示すように、第１係着段部１５３は第１貫通孔３１１を挿通し、かつ第２係着段部２５３が第２貫通孔３３３を挿通し、最後に図６Ｃに示すように、第１拡開部材３１及び第２拡開部材３３を各々第１固定軸１５１及び第２固定軸２５１に対して１つの角度を回転し、第１係着段部１５３及び第２係着段部２５３を各々第１拡開部材３１及び第２拡開部材３３上の第１貫通孔３１１及び第２貫通孔３３１に近い壁面に係着することで固定させる。係着後、第１拡開部材３１及び第２拡開部材３３の延伸方向が各々第１組立部１５及び第２組立部２５の延伸方向と略平行になる。
こうすると、第１拡開部材３１及び第２拡開部材３３は、急速着脱装置とすることにできるため、異なる腔に対応でき、速やかに異なる形状の第１拡開部材３１及び第２拡開部材３３に交換できる。
【００２３】
更に、第１拡開部材３１及び第２拡開部材３３は、アルミ合金、チタン合金、又は金属或いは合金材料を陽極処理してなる。従って取り外した後も高温高圧の消毒を通じて繰り返し利用でき、従来の一回限りの使用という無駄を避けることもできる。
【００２４】
上記実施例の説明でも分かる通り、本発明は、拡張器を提供でき、第２ハンドル部を押すだけで、第２拡開部材を拡張させ、指１本で操作できるため、人間工学に適する。一方向の拡張は被検者又はリハビリテーション患者の不快感を減らすことができる。このほかに、拡張器は、拡張角度を測定でき、リハビリテーション患者にとって、これをもってリハビリ状況を長期監視できる。
【００２５】
上述の説明は、単に本発明の最良の実施例を挙げたまでであり、本発明を限定しない。その他本発明の開示する要旨を逸脱することなく完成された同等効果の修飾または置換はいずれも後述の特許請求の範囲に含まれる。
【符号の説明】
【００２６】
１０    第１ハンドル部
１１    第１把持部
１３    第１枢着部
１３１  側表面
１３３  貫通孔
１５    第１組立部
１５１  第１固定軸
１５３  第１係着段部
１７    拡張スケール
１７１  第１凹凸の刻み
１７３  凹部
１７５  凸部
２０    第２ハンドル部
２１    第２把持部
２１１  スロット
２１３  枢着ブロック
２１５  枢着孔
２３    第２枢着部
２５    第２組立部
２５１  第２固定軸
２５３  第２係着段部
３１    第１拡開部材
３１１  第１貫通孔
３３    第２拡開部材
３３１  第２貫通孔
４０    角度固定具
４１    当接部
４１１  第２凹凸の刻み
４１３  凹部
４１５  凸部
４１７  回転軸
４３    圧合部
５０    発光モジュール
５１    ＬＥＤランプ
５３    ボタンアセンブリ
１００  拡張器
Θ      角度
【図１】
0006402212.tif 000002
【図２】
0006402212.tif 000003
【図３】
0006402212.tif 000004
【図４】
0006402212.tif 000005
【図５】
0006402212.tif 000006
【図６Ａ】
0006402212.tif 000007
【図６Ｂ】
0006402212.tif 000008
【図６Ｃ】
0006402212.tif 000009